(57)【要約】      （修正有）【課題】搭乗する幼児の安全を確保しながら幼児の成長に対応するために寸法が大きくなる傾向にある最近の幼児座席をできるだけ小形にまとめることは、デザイン的バランスのためにも、原価低減のためにも必要なことである。搭乗する幼児の安全を確保しながら幼児の成長に対応できる自転車用幼児座席のステップの小形化に関する構造を提供する。【解決手段】自転車用幼児座席のステップに関する構造であって、左右ステップ２を取付けるために座席本体１の座部１Ａ左右にそれぞれ少なくとも２箇所の取付部を有し、その取付部に対応する取付手段の少なくとも一部をステップ２側に有しており、座部１Ａ左右の取付部と、前記取付手段はステップ２の取付が前後方向に複数の位置に調節できるように構成して、幼児の成長に応じた脚の位置に合うように小形寸法のままのステップ２を位置調節できるようにする。【選択図】図３
2015047890.tif 000002
【特許請求の範囲】
【請求項１】
自転車用幼児座席のステップに関する構造であって、左右ステップを取付けるために座席本体の座部左右にそれぞれ少なくとも２箇所の取付部を有し、その取付部に対応する取付手段の少なくとも一部をステップ側に有しており、座部左右の取付部と、前記取付手段はステップの取付が前後方向に複数の位置に調節できるように構成されていることを特徴とする自転車用幼児座席のステップ。
【請求項２】
座席本体の座部左右のそれぞれ少なくとも２箇所の前記取付部が挿入形締付具を通す取付孔であり、前記取付孔に対応する各々の取付手段が挿入形締付具とその挿入形締付具を通すステップ側に設けた挿入孔であり、前記取付孔または前記挿入孔の少なくともいずれかが複数で構成されることを特徴とする請求項１に記載する幼児座席のステップ。
【請求項３】
座席本体の座部左右のそれぞれ少なくとも２箇所の前記取付部の１つが挿入形締付具を通す取付孔で、他の１つが複数の引掛け孔であるかまたは取付位置の調節方向に長い引掛け長孔であり、前記取付孔に対応する取付手段が挿入形締付具とその挿入形締付具を通すステップ側に設けた挿入孔であり、前記取付孔または前記挿入孔の少なくともいずれかが複数で構成され、前記引掛け孔または前記引掛け長孔に対応する取付手段がステップ側に設けた引掛け片であることを特徴とする請求項１に記載する幼児座席のステップ。
【請求項４】
前記ステップが、搭乗する幼児の脚に概ね沿った形状を有し、前後方向の位置調節寸法と概ね同じ寸法を前後方向に小さくすることを特徴とする請求項１乃至請求項３に記載する幼児座席のステップ。
【発明の詳細な説明】
【技術分野】
【０００１】
本発明は、自転車用幼児座席のステップに関する構造である。
【背景技術】
【０００２】
特許文献１の記載内容について考察する。幼児座席の座部左右の支持板にステップを取付けるための係止孔と取付孔が、ステップの上下位置が調節できるように上下方向に複数段設けられたものである。ステップの上部には、係止孔に挿入し、スライドさせて係合する係合片と支持板の取付孔に対応する取付孔が設けられており、取付具を取付孔に挿入してステップを締付け固定するものである。さらにハンドル部材の取付基部を共に締付け固定するものである。またステップと支持板の各々の止め板が近接または接合して重なるようになっている。
本文献では、ステップの上下方向の位置を調節できるが、体格の大きな幼児が搭乗する時でも座った幼児の脚の膝の上方は空間で障害物は無く膝を若干浮かせて対応できるため、前後方向の位置調節ほどの必要性はないと考える。実際に、上下方向の位置調節機能を持つ商品は市場で見当たらない。
ステップは幼児の成長に対応できるように予め（前後方向に）幅広になっているので寸法はその分だけ大きくなってしまう。
【０００３】
特許文献２の記載内容について考察する。幼児座席の座部左右に垂設されるステップで、座部左右から垂下する支持部に足載せ部と前後のガード部が取付けられており、子供の成長に対応できるように、前ガード部が支持部に対して前後方向に移動調節できるものである。さらに足載せ部が支持部に対して上下方向に移動調節できるものであったり、後ガード部が支持部に対して前後方向に移動調節できるものである。
本文献では、支持部は座部に一体の構成になっており、前ガード部を支持部に対して前方向に移動調節した時の全体寸法は大きくなってしまう。
【先行技術文献】
【特許文献】
【０００４】
【特許文献１】特許第４５０４９０７号
【特許文献２】特許第４３２０２７９号
【発明の概要】
【発明が解決しようとする課題】
【０００５】
搭乗する幼児の安全を確保しながら幼児の成長に対応するために寸法が大きくなる傾向にある最近の幼児座席をできるだけ小形にまとめることは、デザイン的バランスのためにも、原価低減のためにも必要なことである。
本発明はこの課題を解決するためのもので、搭乗する幼児の安全を確保しながら幼児の成長に対応できる自転車用幼児座席のステップの小形化に関する構造を提供することを目的とする。
【課題を解決するための手段】
【０００６】
請求項１の発明の構成上の特徴と作用を示す。請求項１の発明は、自転車用幼児座席のステップに関する構造であって、左右ステップを取付けるために座席本体の座部左右にそれぞれ少なくとも２箇所の取付部を有し、その取付部に対応する取付手段の少なくとも一部をステップ側に有しており、座部左右の取付部と、前記取付手段はステップの取付が前後方向に複数の位置に調節できるように構成されて、
幼児の成長に応じた脚の位置に合うように、小形寸法のままのステップを位置調節できるように作用する。
【０００７】
請求項２の発明の構成上の特徴と作用を示す。請求項２の発明は、請求項１の構成上の特徴に加えて、座席本体の座部左右のそれぞれ少なくとも２箇所の前記取付部が挿入形締付具を通す取付孔であり、前記取付孔に対応する各々の取付手段が挿入形締付具とその挿入形締付具を通すステップ側に設けた挿入孔であり、前記取付孔または前記挿入孔の少なくともいずれかが複数で構成されて、
請求項１と同様に、幼児の成長に応じた脚の位置に合うように、小形寸法のままのステップを位置調節できるように作用する。
【０００８】
請求項３の発明の構成上の特徴と作用を示す。請求項３の発明は、請求項１の構成上の特徴に加えて、座席本体の座席左右のそれぞれ少なくとも２箇所の前記取付部の１つが挿入形締付具を通す取付孔で、他の１つが複数の引掛け孔であるかまたは取付位置の調節方向に長い引掛け長孔であり、前記取付孔に対応する取付手段が挿入形締付具とその挿入形締付具を通すステップ側に設けた挿入孔であり、前記取付孔または前記挿入孔の少なくともいずれかが複数で構成され、前記引掛け孔または前記引掛け長孔に対応する取付手段がステップ側に設けた引掛け片であるように構成されて、
請求項１と同様に、幼児の成長に応じた脚の位置に合うように、小形寸法のままのステップを位置調節できるように作用する。
【０００９】
請求項４の発明の構成上の特徴と作用を示す。請求項４の発明は、請求項１乃至請求項３の構成上の特徴に加えて、前記ステップが、搭乗する幼児の脚に概ね沿った形状を有し、前後方向の位置調節寸法と概ね同じ寸法を前後方向に小さくするように構成されて、
ステップのデザイン的バランスを保って小形にできるように作用する。
【発明の効果】
【００１０】
本発明の幼児座席のステップによれば、搭乗する幼児の脚に概ね沿った形状を有し、前後方向の位置調節寸法と概ね同じ寸法を前後方向に小さくできるので、ステップのデザイン的バランスを保って小形にできると共に原価を低減することができる。
【図面の簡単な説明】
【００１１】
【図１】実施例の幼児座席（左側視図）を示す。
【図２】実施例の幼児座席（前側視図）を示す。
【図３】実施例のステップ位置を変更した幼児座席を示す。
【図４】実施例の座席本体の座部左の取付部を示す。
【図５】実施例のステップの形状と取付手段を示す。
【図６】実施例の挿入形締付具によるステップの取付構造を示す。
【図７】実施例のステップの引掛け構造を示す。
【発明を実施するための形態】
【実施例】
【００１２】
以下、本発明の実施の形態を図に基づいて説明する。実施例は請求項１、請求項３乃び請求項４に関するもので、図１〜図７に基づいて説明する。
幼児座席は、少なくとも座部１Ａ、座席側面１Ｂ、背凭れ部１Ｃを含む座席本体１とステップ２及びハンドル３で構成されている（図１〜図３）。左右のステップは、座席本体１の座部１Ａ左右にそれぞれ２箇所ずつある取付部に取付手段によって取付けられている。
【００１３】
図４の座部１Ａ左の２箇所の取付部は、１つは前方にあって挿入形締付具２１ｂの螺子２１ｂａを通す取付孔１Ａ１であり、他の１つは後方にあってステップ２の取付位置が前後方向に調節できるような引掛け長孔１Ａ２である。
図５はステップ２の形状と２箇所の取付手段を示す。取付手段の１つは前方にあって座部１Ａ左の前方の取付孔１Ａ１に対応するもので、ステップ２の取付位置を３段階に調節できるように前後方向に並んだ３つの挿入孔２１ａであり、螺子２１ｂａとナット２１ｂｂで構成される挿入形締付具２１ｂの螺子２１ｂａが挿入される。他の１つは後方にあって座部１Ａ左側の後方の引掛け長孔１Ａ２に引掛ける引掛け片２２である。
【００１４】
左側のステップ２を取付ける手順を示す。図６は、座部１Ａの取付孔１Ａ１とステップ２の挿入孔２１ａの挿入形締付具２１ｂによる取付構造を示し、
図７は、座部１Ａへのステップ２の引掛け構造を、引掛け長孔１Ａ２と引掛け片２２の断面で示している。
ステップ２の引掛け片２２を座部１Ａの引掛け長孔１Ａ２の差込口１Ａ２ｂに上方から最後まで差込んだ後、ステップ２全体を前（後）方向にずらすと、ステップ２の引掛け片２２の内側の凹部２２ａと座部１Ａの引掛け長孔１Ａ２の内側の凸部１Ａ２ａが嵌り合って、ステップ２の上下方向の動きが阻止される。この阻止された状態で、座部１Ａの取付孔１Ａ１とステップ２の３つの挿入孔２１ａの内の所望する挿入孔２１ａが一致する位置まで調節してから、座部１Ａの取付孔１Ａ１、ステップ２の挿入孔２１ａに１つの挿入形締付具２１ｂの螺子２１ｂａを挿入し、挿入形締付具２１ｂのナット２１ｂｂで共締めしてステップ２を強固に取付ける。右側のステップ２も同様に取付けることができる。
【００１５】
上述のように、ステップ２は幼児の成長に合わせて前後方向に位置を調節できるようになっている。体格の大きな幼児の場合、ステップ２の位置を前方に調節すればよい。ステップ２の上下方向の位置の調節については、体格の大きな幼児が搭乗する時でも座った幼児の脚の膝の上方は空間で障害物は無く膝を若干浮かせて対応できるため、前後方向の調節ほどの必要性はない。
【００１６】
また図５に示すようにステップ２は、搭乗する幼児の脚に概ね沿った形状をしている。このこともステップのデザイン的バランスを保って小形にすることに有用である。
【００１７】
実施例に示した座部１Ａ左右の引掛け長孔１Ａ２に代わるものとして、複数の引掛け孔をステップの複数の挿入孔２１ａと同じ間隔で前後方向に配置してもよい。
【００１８】
別の実施例として次の通り追記する。前述の実施例の中で座部１Ａの引掛け長孔１Ａ２とステップ２の引掛け片２２の代わりに、座部１Ａの取付孔１Ａ１とステップ２の複数の挿入孔２１ａを設けたものである。座部側の取付部もステップ側の取付手段も、前方側と後方側とが同じ挿入形締付によって構成するものである。この別の実施例は請求項２の実施例となる。
【産業上の利用可能性】
【００１９】
本発明は、自転車の荷台に取付ける幼児座席を製造する産業で利用される。
【符号の説明】
【００２０】
１        座席本体
１Ａ      座部
１Ｂ      座席側面
１Ｃ      背凭れ部
１Ａ１    取付孔
１Ａ２    引掛け長孔
１Ａ２ａ  凸部（引掛け長孔の内側の）
１Ａ２ｂ  差込口（引掛け長孔の）
２        ステップ
２１ａ    挿入孔（取付手段）
２１ｂ    挿入形締付具
２１ｂａ（挿入形締付具の）螺子  
２１ｂｂ（挿入形締付具の）ナット
２２      引掛け片
２２ａ    凹部（引掛け片の内側の）
３        ハンドル
【図１】
2015047890.tif 000003
【図２】
2015047890.tif 000004
【図３】
2015047890.tif 000005
【図４】
2015047890.tif 000006
【図５】
2015047890.tif 000007
【図６】
2015047890.tif 000008
【図７】
2015047890.tif 000009